(57)【要約】      （修正有）【課題】空気充填可能かつクッション機能付き発光靴底を提供する。【解決手段】発光靴底１０は、本底１と、中底２と、発光装置３と、空気充填弁６とを備える。発光靴底に甲革を結合して靴になる。本底は光透過性を有するゴム靴底で、中底は光透過性に優れた導光ゴム層であり、本底上面に結合され、発光装置を収納する切り込み２１を備え、内部には、内蔵される導光用支持リブ２２と、支持リブ間に複数の格子状気密穴２３とが設けられる。空気充填弁は、中底上面にあり、格子状気密穴に通じるように設けられ、発光装置が光を発すると、光線が中底の切り込みから外部に拡散し、支持リブを介して外周に伝導され、本底へと入射して、本底の周縁に集中して光を放出する。空気充填弁からは、外付け空気ポンプを用いて、空気を格子状気密穴内に流入させ、中底に空気を充填して、弾力性とクッション性を高める。【選択図】図１
0003228177.tif 000002
【実用新案登録請求の範囲】
【請求項１】
本底（１）と、中底（２）と、発光装置（３）と、空気充填弁（６）とを備えてなる発光靴底（１０）であり、前記発光靴底（１０）に甲革（２０）を結合して靴（３０）になるが、
前記本底（１）は、上下両面を備えてなるゴム靴底で、
前記中底（２）は、光透過性に優れた導光ゴム層であり、下面が前記本底（１）上面に結合され、切り込み（２１）を備えてなり、その内部には、内蔵される導光用支持リブ（２２）と、前記支持リブ（２２）からなる複数の格子状気密穴（２３）とが設けられ、
前記発光装置（３）は、前記中底（２）の切り込み（２１）内にあり、光透過ケース（３１）に発光ユニット（３２）を内蔵してなり、電源の開閉を行い、前記切り込み（２１）に小型防水ランプを簡単に取り外し、又は取り付けるように設けられ、
前記空気充填弁（６）は、前記中底（２）上面にあり、格子状気密穴（２３）に通じるように設けられ、単一方向チェック弁であるため、外付け空気ポンプ（５０）を用いて、空気を単一方向に、格子状気密穴（２３）内に流入させるように設けられ、
前記発光装置（３）が光を発すると、光線が前記中底（２）の切り込み（２１）壁から、中底（２）内に入射し、それから、支持リブ（２２）によって、中底（２）周縁に伝導され、直接に本底（１）内へと入射して、光線が本底（１）の周縁に集中して光らせるように設けられる、
ことを特徴とする空気充填可能かつクッション機能付き発光靴底。
【請求項２】
前記甲革（２０）は、クォーターライナー（４）とソックライナー（５）とを備えてなり、前記ソックライナー（５）下面は、前記中底（２）上面と結合され、前記ソックライナー（５）の前記切り込み（２１）に対応するところには更に、開閉可能なカバー（５１）が設けられることを特徴とする請求項１に記載の空気充填可能かつクッション機能付き発光靴底。
【請求項３】
前記ソックライナー（５）の上には、ソール（４０）を簡単に取り入れ又は取り出すように設けられることを特徴とする請求項２に記載の空気充填可能かつクッション機能付き発光靴底。
【請求項４】
前記導光用支持リブ（２２）は、縦リブ（２４）と横リブ（２５）とを交差してなり、複数の格子状気密穴（２３）は、前記縦リブ（２４）と横リブ（２５）とを交差して作られたスペースであることを特徴とする請求項１に記載の空気充填可能かつクッション機能付き発光靴底。
【請求項５】
前記縦リブ（２４）は計２本、それぞれ切り込み（２１）の前端と後端から、周縁へと、中底（２）のつま先側縁と踵側縁まで縦向きに延伸され、二つの縦リブ（２４）の左右両側から延伸された複数の横リブ（２５）は、中底（２）の左右側縁まで設けられることを特徴とする請求項４に記載の空気充填可能かつクッション機能付き発光靴底。
【請求項６】
前記中底（２）は半製品であるとき、格子状穴の下面が開いた開口になるため、前記中底（２）下面に対応したところには、接合するためのシール（２６）が設けられ、それにより、格子状穴の開口を閉じて、格子状気密穴（２３）にするように設けられることを特徴とする請求項４に記載の空気充填可能かつクッション機能付き発光靴底。
【請求項７】
前記縦リブ（２４）と横リブ（２５）とはどれも、貫通穴（２７）があり、それによって、格子状気密穴（２３）間は、互いに通じるように設けられることを特徴とする請求項４に記載の空気充填可能かつクッション機能付き発光靴底。
【請求項８】
前記本底（１）は、隆起した周縁（１１）を設けて、収納室（１２）を設けてなるゴム靴体であり、前記ゴム靴体は、半光透過性又は光透過性に設けられることを特徴とする請求項１に記載の空気充填可能かつクッション機能付き発光靴底。
【請求項９】
前記本底（１）は、部分の隆起した周縁（１１）を備えてなるゴム靴体であり、前記ゴム靴体は、半光透過性又は光不透過性に設けられることを特徴とする請求項１に記載の空気充填可能かつクッション機能付き発光靴底。
【請求項１０】
前記本底（１）は、平面的なゴム靴体であり、前記ゴム靴体は、半光透過性又は光不透過性に設けられることを特徴とする請求項１に記載の空気充填可能かつクッション機能付き発光靴底。
【考案の詳細な説明】
【技術分野】
【０００１】
本考案は、発光装置を組み合わせて、発光表示機能を有する靴底構造に関する。
【背景技術】
【０００２】
現在の発光靴は、靴底内に切り込みが設けられ、切り込みから放射状に延伸される複数の線状スリットと、前記線状スリットの先端にある複数の発光用凹部とを備えてなり、前記切り込みはプリント基板と電池を、発光用凹部はＬＥＤユニットを、線状スリットは線状発光ワイヤを収納するように設けられ、前記線状発光ワイヤは、プリント基板とＬＥＤユニットとの間を電気的につなぐワイヤであり、ＬＥＤユニットに給電され、光を発すると、靴底の周囲に光が点滅して、夜間警告又は面白い表示という効果がある。
【０００３】
従来の発光靴では、プリント基板、ＬＥＤユニットと線状発光ワイヤはどれも、特定部位に固定されるように設けられ、固定されて、取り外せないものであるため、電子部品や回路に故障などが発生し、光を発せないとき、夜間警告又は面白い表示ができなくなり、そこで、ユーザは大抵、それを再使用せず、又は捨てたりするというもったいないことがよく起きることで、従来の発光靴は一回きり使用可能な消耗品になってしまうものである。
【０００４】
上述した問題点を解決するため、考案者より開発された、「切り込み構造を有する発光靴底」で、中国特許登録番号２０１７２０６６１５２９．７を取得された、プリント基板、ＬＥＤユニット、電池などを、光透過可能なゴムケースに内蔵してなる防水可能な小型発光装置であり、前記発光装置は靴底のプリセットされた切り込みに、前記靴底は光透過性と導光性に優れた発光靴底に設けられ、切り込みにある発光装置から光を発すると、光線が切り込み壁から、直接に発光靴底内に入射し、発光靴底の外周へと伝導され、光線が発光靴底の外周縁に集中してから、放出されるように設けられること、発光装置は故障発生、又は発光モードの変更がある場合、直ちに発光装置を取り外して、交換できるように設けられ、一足の靴で、複数の発光モードを備えてなる発光装置を組み合わせるように対応し、又は、一個の発光装置を、切り込みを有する発光靴底に、形が異なる複数の靴と組み合わせて設けられること、発光装置は独立した小型ランプであり、単独実施可能で、小型ナイトライト又は小型照明ライトとして用いられ、発光靴底から前記発光装置を取り出したあと、一般的な靴として使えるため、一回使用のみの消耗品にならないこと、発光装置内に無線充電装置が設けられ、電力不足の時、電池交換不要で、充電器との磁界結合を用いたエネルギーを伝送して、電池に電力が補給されるようになること、リモートリモコン、例えば、スマートフォンから発光装置をリモート制御することが可能で、プリント基板に受信モジュールと、プロセスモジュールとを設けることにより、受信モジュールがスマートフォンからの信号を受けると、プロセスモジュールからその信号により、前記ＬＥＤユニットがそれに対応する発光の変化を行うことを制御し、例えば、点灯形式、明るさ、頻度、色、鮮やかさなどを変えるようになり、様々な発光の変化を行うことができる。
【０００５】
中国特許登録番号２０１７２０６６１５２９．７には、発光靴底構造が掲示されているが、まだ次のような問題点を解決しなければならない。
（１）発光靴底本体はソリッドボディで、プラスチック材が多く使用されて、重量が重くなるもので、足への負荷を軽減するため、軽量化する必要があること。
（２）発光靴底本体はゴムで作られ、可撓性を有するものだが、耐磨耗性が足らず、その周縁や底部の磨耗が起こりやすく、磨耗を減少させ、耐摩耗性を向上して、発光靴底を長時間使用するようにすること。
（３）発光靴底構造は、上下からの圧力に耐えるように設けられるが、ユーザが飛んだり跳ねたりしているとき、靴の振動防止や振動吸収が不足するため、弾力性とクッション性を有する発光靴底を用いて、楽に飛んだり跳ねたりできるようになること。
【考案の概要】
【考案が解決しようとする課題】
【０００６】
それに鑑みて、本考案は、上述の問題を解決して、本来の有する光透過性と導光性に、更に重量軽減かつ磨耗減少が可能で、弾力性とクッション性に優れた発光表示機能を有する発光靴底を開発し、提供することを目的とする。
【課題を解決するための手段】
【０００７】
前記問題点を解決でき、上記目的を達成するために、本考案の空気充填可能かつクッション機能付き発光靴底は、
本底１と、中底２と、発光装置３と、空気充填弁６とを備えてなる発光靴底１０であり、前記発光靴底１０に甲革２０を結合して靴３０になるが、
前記本底１は、上下両面を備えてなるゴム靴底で、
前記中底２は、光透過性に優れた導光ゴム層であり、下面が前記本底１上面に結合され、切り込み２１を備えてなり、その内部には、内蔵される導光用支持リブ２２と、前記支持リブ２２からなる複数の格子状気密穴２３とが設けられ、
前記発光装置３は、前記中底２の切り込み２１内にあり、光透過ケース３１に発光ユニット３２を内蔵してなり、電源の開閉を行い、前記切り込み２１に小型防水ランプを簡単に取り外し、又は取り付けるように設けられ、
前記空気充填弁６は、前記中底２上面にあり、格子状気密穴２３に通じるように設けられ、単一方向チェック弁であるため、外付け空気ポンプ５０を用いて、空気を単一方向に、格子状気密穴２３内に流入させるように設けられ、
前記発光装置３が光を発すると、光線が前記中底２の切り込み２１壁から、中底２内に入射し、それから、支持リブ２２によって、中底２周縁に伝導され、直接に本底１内へと入射して、光線が本底１の周縁に集中して光らせるように設けられる、
ことを要旨とする。
【０００８】
前記甲革２０は、クォーターライナー４とソックライナー５とを備えてなり、前記ソックライナー５下面は、前記中底２上面と結合され、前記ソックライナー５の前記切り込み２１に対応するところには更に、開閉可能なカバー５１が設けられることが好ましい。
【０００９】
前記ソックライナー５の上には、ソール４０を簡単に取り入れ又は取り出すように設けられることが好ましい。
【００１０】
前記導光用支持リブ２２は、縦リブ２４と横リブ２５とを交差してなり、複数の格子状気密穴２３は、前記縦リブ２４と横リブ２５とを交差して作られたスペースであることが好ましい。
【００１１】
前記縦リブ２４は計２本、それぞれ切り込み２１の前端と後端から、周縁へと、中底２のつま先側縁と踵側縁まで縦向きに延伸され、二つの縦リブ２４の左右両側から延伸された複数の横リブ２５は、中底２の左右側縁まで設けられることが好ましい。
【００１２】
前記中底２は半製品であるとき、格子状穴の下面が開いた開口になるため、前記中底２下面に対応したところには、接合するためのシール２６が設けられ、それにより、格子状穴の開口を閉じて、格子状気密穴２３にするように設けられることが好ましい。
【００１３】
前記縦リブ２４と横リブ２５とはどれも、貫通穴２７があり、それによって、格子状気密穴２３間は、互いに通じるように設けられることが好ましい。
【００１４】
前記本底１は、隆起した周縁１１を設けて、収納室１２を設けてなるゴム靴体であり、前記ゴム靴体は、半光透過性又は光透過性に設けられることが好ましい。
【００１５】
前記本底１は、部分の隆起した周縁１１を備えてなるゴム靴体であり、前記ゴム靴体は、半光透過性又は光不透過性に設けられることが好ましい。
【００１６】
前記本底１は、平面的なゴム靴体であり、前記ゴム靴体は、半光透過性又は光不透過性に設けられることが好ましい。
【考案の効果】
【００１７】
本考案は、従来の技術に対して、次のような作用や効果がある。
（１）発光靴底本体では、本底と、中底とを備えてなり、中底は、複数の格子状穴を備えてなるため、プラスチック使用量の減少、重量軽減と、足への負荷軽減につながる。
（２）発光靴底本体では、外層は、耐摩耗性に優れた本底で、磨耗減少や、靴底の使用寿命延長につながり、内層は可撓性を有する中底で、適当な弾力を果すことができる。
（３）発光靴底の中底に設けられた格子状気密穴により、激しい運動時に、緩衝に優れた効果があり、格子状穴の間は互いに、通気するように設けられ、空気充填弁から空気を中底に十分に流入させるようにし、中底は、ユーザが上下に飛んだり跳ねたりする時の圧力を受けながら、クッション性や振動防止を行うことができる。
（４）発光靴底の中底は、縦リブと横リブからなる導光用支持リブを備えてなり、それにより、光線が切り込み壁から、直接に中底の外周に伝導され、それから、本底へと入射して、本底の周縁に集中して光らせるように設けられ、よい支持力を持つと同時に、光線を支持リブに集中させ、よい導光性を持つことができる。
【図面の簡単な説明】
【００１８】
【図１】本考案の実施形態１の発光靴底の立体分解図を示す。
【図２】図１の発光靴底の立体組立図を示す。
【図３】本考案の発光靴底と甲革を組み合わせてなる靴の断面を示す模式図である。
【図４】本考案の発光靴底の全体断面図を示す。
【図５】本考案の発光靴底の光透過性と導光性を示す模式図である。
【図６】本考案の発光靴底における発光装置の交換及び空気充填を行う時の模式図を示す。
【図７】本考案の発光靴底の断面分解図を示す。
【図８】本考案の発光靴底内にある気密格子状穴が互いに通気するように設けられるときの模式図を示す。
【図９】本考案の実施形態２の発光靴底の立体分解図を示す。
【図１０】図９の発光靴底の立体組立図を示す。
【考案を実施するための形態】
【００１９】
図１〜図３は、発光表示機能を有する発光靴底１０が示され、前記発光靴底１０は、本底１と、中底２と、発光装置３と、空気充填弁６とを備えてなり、前記発光靴底１０に甲革２０を結合して靴３０になる。
【００２０】
前記本底１は、上下両面を備えてなるゴム靴底である。
【００２１】
前記中底２は、光透過性に優れた導光ゴム層であり、その下面が前記本底１上面に結合されるように設けられ、切り込み２１を備えてなり、中底２を軽量化にし、プラスチック材の使用量を減らし、本来有する光透過性や導光性に影響を及ぼさないように、切り込み２１を除き、その内部には、内蔵される導光用支持リブ２２と、前記支持リブ２２からなる複数の格子状気密穴２３とが設けられる。
【００２２】
前記発光装置３は、前記中底２の切り込み２１内にあり、光透過ケース３１内に発光ユニット３２が内蔵されており、電源の開閉を制御し、切り込み２１に防水ランプを簡単に取り外し、又は取り付けるように設けられ、前記発光ユニット３２は、ＬＥＤユニットである。
【００２３】
前記本底１は、隆起した周縁１１を設けて、収納室１２を設けるようになるゴム靴体であり、前記ゴム靴体は、半光透過性又は光透過性であるため、図５に示すように、前記発光装置３が光を発すると、光線は前記中底２の切り込み２１壁から、中底２内に入射し、それから、支持リブ２２によって、中底２の外周に伝導され、光線が本底１内へと直接に入射して、本底１の周縁に集中して光らせるように設けられる。
【００２４】
前記空気充填弁６は、前記中底２上面にあり、格子状気密穴２３に通じるように設けられ、単一方向チェック弁であるため、外付け空気入れ装置を用いて、空気を単一方向に、前記格子状気密穴２３内に流入させるように設けられる。
【００２５】
前記導光用支持リブ２２は、縦リブ２４と横リブ２５を交差してなり、複数の子状気密穴２３は、前記縦リブ２４と横リブ２５とを交差して作られたスペースであり、前記導光用支持リブ２２は、足元を支えて持ち上げるようにし、体重を中底２全体に、均等に分散させ、各部位が圧力を受けるように設けられ、疲労による変形や損傷が局所的に生じることを避けられる。
【００２６】
導光用支持リブ２２の配置は、中底２のサイズを考慮に入れ、光透過性や導光性に影響を及ぼすことなく、プラスチックの使用量を減らすため、光透過性や導光性と、プラスチック使用量減少とのバランスを取り、一方に偏ることなく、両者のメリットを得るように、丁寧に計画して行われる必要がある。図に示すように、本考案の縦リブ２４は計２本、それぞれ、切り込み２１の前端と後端から、中底２のつま先側縁と踵側縁まで延伸された、甲羅中央の背骨のように設けられ、二つの縦リブ２４の左右両側から中底２の左右両側まで延伸される複数の横リブ２５は、甲羅左右の肋骨のように設けられるが、直線又はカーブにも設けられる。
【００２７】
図４と図５に示すように、実施して分かったことだが、前後にある二つの縦リブ２４を介して、発光装置３の光線が素早く、切り込み２１から中底２の前後両側に伝導され、左右にある複数の横リブ２５によって、二つの縦リブ２４から受けた光線がそれぞれ、左右両側に伝導されるように設けられ、それは、光線が一番早く伝導され、衰減が一番少なく、周縁に集中する明るさが一致し、重量が大きく軽減される最適な実施例であり、上述したような支持リブ２２の配置により修正や変更を行い、同じ効果を得て行われた範囲は全て、本考案の請求範囲に含まれるものとする。光線が中底２の周囲に伝導され、それから、直接に本底１内へと入射され、本底１の周縁に集中して光らせるように設けられる。
【００２８】
図３と図６に示すように、前記甲革２０は、クォーターライナー４とソックライナー５とを備えてなり、前記クォーターライナー４の周縁をソックライナー５下面に折り込ませ、互いに貼り合わせるようにし、更に、ソックライナー５下面と前記中底２上面とを結合するように設けられ、粘着剤などで貼り合せるように結合されること。ソックライナー５の前記切り込み２１に対応するところには更に、開閉可能なカバー５１が設けられ、前記カバー５１下面は、中底２上面を結合せず、ユーザがいつでも開けられ、そこに発光装置３を素早く取り付け、交換するように設けられる。
【００２９】
前記ソックライナー５は通常、紙板、繊維板、ゴムシート、本革、合成皮革などの材料で作られ、前記カバー５１は、ソックライナー５上で、Ｕ字状にカット又は切断されてなり、一端がソックライナー５に接合しているため、接合するところを回転軸として、開けたり閉めたりするように設けられる。カバー５１を閉めると、ソックライナー５と同じ水準の高さを保持し、カバー５１を開けると、開口になり、そこから、簡単に、発光装置３を切り込み２１内に取り付け又は交換するように設けられ、取替えが更に簡単に行われる。
【００３０】
図３に示すように、カバー５１を閉めたとき、前記ソックライナー５の上にはソール４０が設けられ、前記ソール４０はいつでも、取り出し又は取り入れるように設けられる。地面を踏んでいるとき、踵に良好な弾性・緩衝性を与えるため、ソール４０の踵に該当する位置には、一体化された振動防止突起４０１が設けられ、それは従来知られている技術であり、本考案では詳述しないものとする。
【００３１】
前記発光装置３は、防水、耐荷重、耐衝撃、光透過が可能かつ、発光モードの遠隔制御が可能な小型ランプであり、その構造や作用・効果に関する詳しくは、考案者の中国特許登録番号ＺＬ２０１７２１１６１９８４．７、スマート発光装置を参考にすることができるが、冗長な内容を避けるため、前記発光装置３について、ここで述べないことにする。
【００３２】
前記本底１は、熱可塑性ポリウレタン（ＴＰＵ）、熱可塑性エラストマー（ＴＰＲ）、ポリ塩化ビニル（ＰＶＣ）、ポリウレタン（ＰＵ）、エチレン酢酸ビニル（ＥＶＡ）の材料を単独使用又は組合せ使用してもよく、前記中底２に適した材料は、ホットメルト接着剤が含まれ、前記ホットメルト接着剤は、エチレン酢酸ビニル、ポリエチレン、ポリアミド、ブロック共重合体又はＡＰＡＯという材料で作られ、それらの材料はどれも、可撓曲性、高度なクラリティ又は透明性に優れたものである。但し、本底１の耐摩耗性、及び中底２の弾力性を高めるため、前記本底１は中底２より硬度が高く設けられることとし、光透過性や導光性に関し、前記中底２は、本底１より光透過性と導光性が高く設けられること。
【００３３】
前記中底２は、モールド成形又は３Ｄ立体印刷で製造されるが、金型作りや離型が簡単に行われるように、図７に示すように、もう一つの製造方法がある。成形後、半製品になる前記中底２は、複数の格子状穴の下面が開いた開口になるため、中底２下面に対応したところには、接合するための底シール２６を設けて、格子状穴の開口を閉じて、格子状気密穴２３にするように設けられ、中底２はプラスチック材で作られたため、複数の格子状気密穴２３に空気を充填して、中底２上面を若干膨張させられるようにし、それにより、激しい運動時に、振動防止や緩衝に優れた効果がある。上述した結合は、瞬間接着剤、ホットバー半田付け、又は超音波溶接などで行われる。
【００３４】
切り込み２１は、貫通穴を開け、又は底を有する切り込みに設けられてもよく、貫通穴を開けた切り込み２１である場合、前記発光装置３の肉厚を厚く設けられるが、内部の電池の厚みを厚くしなければならないが、底を有する切り込み２１である場合、前記発光装置３の肉厚を薄くする必要があり、そこで、内部の電池の厚さを薄くすること。上述した二つの実施例は、どれも本考案に適したのである。
【００３５】
図７、図８に示すように、前記縦リブ２４や横リブ２５にも、貫通穴２７が設けられ、それにより、格子状気密穴２３の間は、互いに通気するように設けられ、中底２が上下からの圧力を受けたとき、よい振動防止効果を果たすことができる。
【００３６】
図６、図８に示すように、前記中底２上面には、空気充填弁６が設けられ、前記空気充填弁６は、格子状気密穴２３に通じているため、外付け空気ポンプ５０を用いて、空気を単一方向に、前記格子状気密穴２３内に流入させるように設けられ、前記空気ポンプ５０は手動式、又は機械式空気入れ装置であり、格子状気密穴２３の間は、貫通穴２７を設けて通じているため、中底２に空気を十分に充填してから、よりよい弾力性や振動防止性がある。空気を入れるには、あらかじめ、ソール４０を靴内から取り出し、カバー５１を開けてから行われること。
【００３７】
伝統的な靴底に空気を充填する技術として、本底の周縁には、空気充填弁が設けられ、空気を、空気充填弁から流入させ、本底内の空気袋に貯めるように設けられ、本考案では、中底２には空気充填弁６が設けられ、空気を前記空気充填弁６から、中底２内部にある格子状気密穴２３内に流入させるように設けられることから、空気充填に関する技術や構造は従来の場合と相違している。
【００３８】
図９、図１０に示すように、図に示す本底１は、半光透過性又は光透過性、又は非透明性ゴム靴体であり、必ずしも、周縁１１を有してなるものとは限らないこと、又は局所の周縁１１だけを有してなり、  本底１は次のように、ＢＲＳ  １０００、カーボンラバー（Ｃａｒｂｏｎ  Ｒｕｂｂｅｒ）、ソリッドラバー（ｓｏｌｉｄ  ｒｕｂｂｅｒ）、ＤＲＣ（耐久性ラバーコンパウンド）、Ｄｕｒａｌｏｎ又はガムラバー（Ｇｕｍ  Ｒｕｕｂｅｒ）の何れかの一つ、又はその一つ以上からなり、本実施形態では、発光靴底１０の外側から直接に、中底２の周縁の部分又は全部を見ることができるように設けられ、中底２は本底１より、光透過性に優れたもので、本底１の外周に光が明るく集中しているところを見せる。
【００３９】
本底１は、局所に隆起した周縁１１を有してなるゴム靴体である場合、前記ゴム靴体は、半光透過性又は光不透過性を有してなり、本底１は、隆起した周縁１１を有しない平面ゴム靴体である場合、前記ゴム靴体は、半光透過性又は光不透過性を見せる。
【００４０】
本考案による応用範囲は、運動靴、サンダル、カジュアルシューズ、トレッキングシューズ（例えば、登山靴又はスキーブーツ）、ローラースケートシューズや四輪スケートシューズ、スリッパ、ビーチサンダル又はプラスチック製ビーチサンダルなどの靴類を含み、それに限らないものとする。
【００４１】
以上は、本考案の好適な実施例に関する説明だが、それを以って、実施範囲を制限してはならないものとし、本考案のコンセプトに一致した改造や変化などを行って、それと同等な効果を得て行われた範囲は全て、本考案の特許請求範囲に含まれるものとする。
【符号の説明】
【００４２】
１０  発光靴底
１  本底
１１  周縁
１２  収納室
２  中底
２１  切り込み
２２  支持リブ
２３  格子状気密穴
２４  縦リブ
２５  横リブ
２６  底シール
２７  貫通穴
２０  甲革
３０  靴
３  発光装置
３１  光透過ケース
３２  発光ユニット
４  クォーターライナー
５  ソックライナー
５１  カバー
４０  ソール
４０１  振動防止突起
５０  空気ポンプ
６  空気充填弁
【図１】
0003228177.tif 000003
【図２】
0003228177.tif 000004
【図３】
0003228177.tif 000005
【図４】
0003228177.tif 000006
【図５】
0003228177.tif 000007
【図６】
0003228177.tif 000008
【図７】
0003228177.tif 000009
【図８】
0003228177.tif 000010
【図９】
0003228177.tif 000011
【図１０】
0003228177.tif 000012